(57)【要約】【課題】入力画像の注目画素以外の画素について線又は文字であるか否かを考慮しない場合と比べ、出力画像の線又は文字の太さをより適切に調整することができる画像処理装置、画像形成装置、及びプログラムを提供する。【解決手段】画像形成装置１０Ａは、画像に含まれる各画素に、線又は文字の一部であることを示す線文字タグ、及び、非線又は非文字であることを示す非線文字タグのいずれか一方を割り当てるラスタライズ部３０と、画像の注目画素を含む領域毎に、ラスタライズ部３０により線文字タグが割り当てられた画素と、非線文字タグが割り当てられた画素との境界を検出する検出部３２と、検出部３２により領域に境界が検出され、かつ、注目画素が非線文字タグが割り当てられた画素である場合に、注目画素に対応する画素値を、注目画素の近傍に位置し、かつ、線文字タグが割り当てられた近傍画素の画素値に基づいて調整する調整部３４と、を備える。【選択図】図２
2019036887.tif 000002
【特許請求の範囲】
【請求項１】
画像に含まれる各画素に、線又は文字の一部であることを示す線文字タグ、及び、非線又は非文字であることを示す非線文字タグのいずれか一方を割り当てる割当部と、
前記画像における注目画素を含む予め定められた領域毎に、前記割当部により前記線文字タグが割り当てられた画素と、前記非線文字タグが割り当てられた画素との境界を検出する検出部と、
前記検出部により前記領域に前記境界が検出され、かつ、前記注目画素が前記非線文字タグが割り当てられた画素である場合に、前記注目画素に対応する画素値を、前記注目画素の近傍に位置し、かつ、前記線文字タグが割り当てられた近傍画素の画素値に基づいて調整する調整部と、
を備えた画像処理装置。
【請求項２】
前記検出部は、前記領域に対応する境界検出用パターンであって、前記注目画素、前記線文字タグが割り当てられた画素、前記非線文字タグが割り当てられた画素、及び前記近傍画素の位置関係が予め規定された境界検出用パターンを用いて、前記画像に対してパターンマッチングを行うことにより、前記境界を検出する請求項１に記載の画像処理装置。
【請求項３】
前記近傍画素は、前記注目画素の右隣、左隣、上隣、及び下隣のいずれかに位置する画素である請求項２に記載の画像処理装置。
【請求項４】
前記境界検出用パターンは、前記近傍画素が前記注目画素の右隣、左隣、上隣、及び下隣のいずれかに位置する画素である場合について、複数種類ずつ設けられ、
前記検出部は、前記複数種類ずつの境界検出用パターンを選択的に用いて、前記画像に対してパターンマッチングを行う請求項３に記載の画像処理装置。
【請求項５】
前記線文字タグは、前記線の一部であることを示す線タグ、及び、前記文字の一部であることを示す文字タグを含み、
前記非線文字タグは、前記非線であることを示す非線タグ、及び、前記非文字であることを示す非文字タグを含み、
前記割当部は、前記各画素に、前記線タグ、前記文字タグ、前記非線タグ、及び前記非文字タグのいずれか１つを割り当てる請求項１に記載の画像処理装置。
【請求項６】
前記検出部は、前記注目画素を含む予め定められた領域毎に、前記割当部により前記線タグが割り当てられた画素と前記非線タグが割り当てられた画素との境界、及び、前記割当部により前記文字タグが割り当てられた画素と前記非文字タグが割り当てられた画素との境界を検出する請求項５に記載の画像処理装置。
【請求項７】
前記調整部は、
前記検出部により前記領域に前記境界が検出され、かつ、前記注目画素が前記非線タグが割り当てられた画素である場合に、前記注目画素に対応する画素値を、前記注目画素の近傍に位置し、かつ、前記線タグが割り当てられた近傍画素の画素値に基づいて調整し、
前記検出部により前記領域に前記境界が検出され、かつ、前記注目画素が前記非文字タグが割り当てられた画素である場合に、前記注目画素に対応する画素値を、前記注目画素の近傍に位置し、かつ、前記文字タグが割り当てられた近傍画素の画素値に基づいて調整する請求項６に記載の画像処理装置。
【請求項８】
前記調整部は、前記検出部により前記領域に前記境界が検出され、かつ、前記注目画素が前記非線文字タグが割り当てられた画素である場合に、前記注目画素に対応する画素値を、前記近傍画素の画素値に基づいて調整することに代えて、前記近傍画素の画素値を、前記注目画素の画素値に基づいて調整する請求項１〜６のいずれか１項に記載の画像処理装置。
【請求項９】
画像に含まれる各画素に、線又は文字の一部であることを示す線文字タグ、及び、非線又は非文字であることを示す非線文字タグのいずれか一方を割り当てる割当部と、
前記画像における注目画素を含む予め定められた領域毎に、前記割当部により前記線文字タグが割り当てられた画素と、前記非線文字タグが割り当てられた画素との境界を検出する検出部と、
前記検出部により前記領域に前記境界が検出され、かつ、前記注目画素が前記非線文字タグが割り当てられた画素である場合に、前記注目画素に対応する画素値を、前記注目画素の近傍に位置し、かつ、前記線文字タグが割り当てられた近傍画素の画素値に基づいて調整する調整部と、
前記調整部により画素値が調整された前記画像を記録媒体に形成する形成部と、
を備えた画像形成装置。
【請求項１０】
コンピュータを、請求項１〜８のいずれか１項に記載の画像処理装置が備える各部として機能させるためのプログラム。
【発明の詳細な説明】
【技術分野】
【０００１】
本発明は、画像処理装置、画像形成装置、及びプログラムに関する。
【背景技術】
【０００２】
従来技術として、特許文献１には、画像からエッジ部か否かの判定を行うエッジ判定部と、エッジ判定部の判定結果に基づいて画像のエッジ領域を広げてエッジ部と再判定するエッジ再判定部とを備えた画像処理装置が記載されている。この画像処理装置は、更に、エッジ判定部及びエッジ再判定部によりエッジ部と判定された画像と、非エッジ部と判定された画像とで異なる処理を施す処理部と、画像の注目画素の濃度に基づいてエッジ再判定部による再判定処理の内容を変更する変更部とを備える。
【０００３】
特許文献２には、上記特許文献１と同様に、エッジ判定部及びエッジ再判定部を備えた画像処理装置が記載されている。この画像処理装置は、更に、エッジ判定部及びエッジ再判定部によりエッジ部と判定された画像と、非エッジ部と判定された画像とで異なる処理を施す処理部と、画像の入力解像度に基づいてエッジ再判定部による再判定処理の内容を変更する変更部とを備える。
【０００４】
特許文献３には、画像の各々の画素を注目画素として、注目画素を含む判定領域の濃度が閾値以上であるか否かを判定する画像処理装置が記載されている。この閾値は、注目画素の濃度に応じて設定された閾値であって、注目画素が画像のエッジ部分に相当するエッジ画素か否かを判定するための閾値である。この画像処理装置は、更に、上記判定領域の濃度が上記閾値以上の場合に、注目画素をエッジ画素として検出し、検出したエッジ画素のうち予め定めた濃度以上の濃度を有するエッジ画素に対して、当該エッジ画素の濃度に応じた補正を行う。
【０００５】
一方、他の従来技術として、特許文献４には、出力対象の画像の属性（画素の濃度等）を示すタグデータを入力するタグデータ入力部と、入力したタグデータに基づいて出力対象の画像に含まれる細線を検出する細線検出部とを備えた画像出力装置が記載されている。この画像出力装置は、更に、細線検出部による細線の検出結果に基づいて出力対象の画像に対する細線の調整を実行する細線調整部と、細線調整部により細線が調整された出力対象の画像を出力する画像出力部とを備える。
【先行技術文献】
【特許文献】
【０００６】
【特許文献１】特開２０１２−２８９５２号公報
【特許文献２】特開２０１３−３８５４５号公報
【特許文献３】特許第５９９４７４１号公報
【特許文献４】特開２００９−６５３２２号公報
【発明の概要】
【発明が解決しようとする課題】
【０００７】
ところで、電子写真方式等による画像形成装置では、外部環境における温度や湿度、更に、装置内部のマーキング特性等の様々な要因の影響を受けて、印刷された線や文字に、太りや、つぶれ、かすれ等が生じ、ユーザの意図しない品質になる場合がある。
【０００８】
そのため、線又は文字の少なくとも一部の太さを入力画像から変更（調整）する必要がある。そこで、例えば、入力画像における注目画素についてまず線又は文字か否かを判断し、線又は文字であると判断された場合に、その注目画素の濃度と周辺の画素の濃度との差分を求め、その差分と閾値とを比較することで、当該注目画素あるいはその周辺の画素について調整の対象とするか否かを決定することも考えられる。しかしながら、このような形態では、閾値の決め方次第では調整の対象が適切なものとならず、出力画像における線又は文字の太さが適切に調整されない場合がある。
【０００９】
本発明は、入力画像の注目画素以外の画素について線又は文字であるか否かを考慮しない場合と比べ、出力画像における線又は文字の太さをより適切に調整することができる画像処理装置、画像形成装置、及びプログラムを提供することを目的とする。
【課題を解決するための手段】
【００１０】
上記目的を達成するために、請求項１に記載の画像処理装置は、画像に含まれる各画素に、線又は文字の一部であることを示す線文字タグ、及び、非線又は非文字であることを示す非線文字タグのいずれか一方を割り当てる割当部と、前記画像における注目画素を含む予め定められた領域毎に、前記割当部により前記線文字タグが割り当てられた画素と、前記非線文字タグが割り当てられた画素との境界を検出する検出部と、前記検出部により前記領域に前記境界が検出され、かつ、前記注目画素が前記非線文字タグが割り当てられた画素である場合に、前記注目画素に対応する画素値を、前記注目画素の近傍に位置し、かつ、前記線文字タグが割り当てられた近傍画素の画素値に基づいて調整する調整部と、を備えたものである。
【００１１】
また、請求項２に記載の画像処理装置は、請求項１に記載の発明において、前記検出部が、前記領域に対応する境界検出用パターンであって、前記注目画素、前記線文字タグが割り当てられた画素、前記非線文字タグが割り当てられた画素、及び前記近傍画素の位置関係が予め規定された境界検出用パターンを用いて、前記画像に対してパターンマッチングを行うことにより、前記境界を検出するものである。
【００１２】
また、請求項３に記載の画像処理装置は、請求項２に記載の発明において、前記近傍画素が、前記注目画素の右隣、左隣、上隣、及び下隣のいずれかに位置する画素とされている。
【００１３】
また、請求項４に記載の画像処理装置は、請求項３に記載の発明において、前記境界検出用パターンが、前記近傍画素が前記注目画素の右隣、左隣、上隣、及び下隣のいずれかに位置する画素である場合について、複数種類ずつ設けられ、前記検出部が、前記複数種類ずつの境界検出用パターンを選択的に用いて、前記画像に対してパターンマッチングを行うものである。
【００１４】
また、請求項５に記載の画像処理装置は、請求項１に記載の発明において、前記線文字タグが、前記線の一部であることを示す線タグ、及び、前記文字の一部であることを示す文字タグを含み、前記非線文字タグが、前記非線であることを示す非線タグ、及び、前記非文字であることを示す非文字タグを含み、前記割当部が、前記各画素に、前記線タグ、前記文字タグ、前記非線タグ、及び前記非文字タグのいずれか１つを割り当てるものである。
【００１５】
また、請求項６に記載の画像処理装置は、請求項５に記載の発明において、前記検出部が、前記注目画素を含む予め定められた領域毎に、前記割当部により前記線タグが割り当てられた画素と前記非線タグが割り当てられた画素との境界、及び、前記割当部により前記文字タグが割り当てられた画素と前記非文字タグが割り当てられた画素との境界を検出するものである。
【００１６】
また、請求項７に記載の画像処理装置は、請求項６に記載の発明において、前記調整部が、前記検出部により前記領域に前記境界が検出され、かつ、前記注目画素が前記非線タグが割り当てられた画素である場合に、前記注目画素に対応する画素値を、前記注目画素の近傍に位置し、かつ、前記線タグが割り当てられた近傍画素の画素値に基づいて調整し、前記検出部により前記領域に前記境界が検出され、かつ、前記注目画素が前記非文字タグが割り当てられた画素である場合に、前記注目画素に対応する画素値を、前記注目画素の近傍に位置し、かつ、前記文字タグが割り当てられた近傍画素の画素値に基づいて調整するものである。
【００１７】
また、請求項８に記載の画像処理装置は、請求項１〜６のいずれか１項に記載の発明において、前記調整部が、前記検出部により前記領域に前記境界が検出され、かつ、前記注目画素が前記非線文字タグが割り当てられた画素である場合に、前記注目画素に対応する画素値を、前記近傍画素の画素値に基づいて調整することに代えて、前記近傍画素の画素値を、前記注目画素の画素値に基づいて調整するものである。
【００１８】
一方、上記目的を達成するために、請求項９に記載の画像形成装置は、画像に含まれる各画素に、線又は文字の一部であることを示す線文字タグ、及び、非線又は非文字であることを示す非線文字タグのいずれか一方を割り当てる割当部と、前記画像における注目画素を含む予め定められた領域毎に、前記割当部により前記線文字タグが割り当てられた画素と、前記非線文字タグが割り当てられた画素との境界を検出する検出部と、前記検出部により前記領域に前記境界が検出され、かつ、前記注目画素が前記非線文字タグが割り当てられた画素である場合に、前記注目画素に対応する画素値を、前記注目画素の近傍に位置し、かつ、前記線文字タグが割り当てられた近傍画素の画素値に基づいて調整する調整部と、前記調整部により画素値が調整された前記画像を記録媒体に形成する形成部と、を備えたものである。
【００１９】
更に、上記目的を達成するために、請求項１０に記載のプログラムは、コンピュータを、請求項１〜８のいずれか１項に記載の画像処理装置が備える各部として機能させるためのものである。
【発明の効果】
【００２０】
請求項１、請求項９、及び請求項１０に係る発明によれば、入力画像の注目画素以外の画素について線又は文字であるか否かを考慮しない場合と比べ、出力画像における線又は文字の太さをより適切に調整することができる。
【００２１】
請求項２に係る発明によれば、各画素に線又は文字であるか否かを示すタグを割り当てない場合と比べて、線文字タグが割り当てられた画素と、非線文字タグが割り当てられた画素との境界をより的確に検出することができる。
【００２２】
請求項３に係る発明によれば、注目画素に隣接する画素を近傍画素として用いない場合と比べて、出力画像における線又は文字の太さをより違和感なく調整することができる。
【００２３】
請求項４に係る発明によれば、複数種類の境界検出用パターンの選択的に組み合わせない場合と比べて、出力画像における線又は文字の太さをより柔軟に調整することができる。
【００２４】
請求項５、請求項６、及び請求項７に係る発明によれば、線と文字とを区別することができるため、出力画像における線及び文字の各々について個別に太さを調整することができる。
【００２５】
請求項８に係る発明によれば、出力画像における線又は文字の太さを太らせる調整だけではなく、線又は文字の太さを細らせる調整を行うことができる。
【図面の簡単な説明】
【００２６】
【図１】第１の実施形態に係る画像形成装置の構成の一例を示すブロック図である。
【図２】第１の実施形態に係る画像形成装置の機能的な構成の一例を示すブロック図である。
【図３】第１の実施形態に係る画像形成装置によるラスタライズ処理の一例を説明するための模式図である。
【図４】実施形態に係るラスタ画像の境界検出処理における処理順の一例を示す模式図である。
【図５】第１の実施形態に係る画像形成装置による境界検出処理の一例を説明するための模式図である。
【図６】実施形態に係る境界検出用パターンの一例を示す模式図である。
【図７】第１の実施形態に係る画像形成装置による画像合成処理の一例を説明するための模式図である。
【図８】第１の実施形態に係る画像処理プログラムの処理の流れの一例を示すフローチャートである。
【図９】第２の実施形態に係る画像形成装置の機能的な構成の一例を示すブロック図である。
【図１０】第２の実施形態に係る画像形成装置によるラスタライズ処理の一例を説明するための模式図である。
【図１１】第３の実施形態に係る画像形成装置の機能的な構成の一例を示すブロック図である。
【図１２】第３の実施形態に係る画像形成装置による画素値調整処理の一例を説明するための模式図である。
【発明を実施するための形態】
【００２７】
以下、図面を参照して、本発明を実施するための形態の一例について詳細に説明する。
【００２８】
［第１の実施形態］
図１は、第１の実施形態に係る画像形成装置１０Ａの構成の一例を示すブロック図である。
図１に示すように、本実施形態に係る画像形成装置１０Ａは、画像処理部１１と、表示部１６と、操作部１８と、画像形成部２０と、原稿読取部２２と、通信部２４と、を備える。画像処理部１１は、画像処理装置の一例である。画像処理部１１は、制御部１２と、記憶部１４と、を含んで構成されている。
【００２９】
制御部１２は、ＣＰＵ（Central Processing Unit）１２Ａ、ＲＯＭ（Read Only Memory）１２Ｂ、ＲＡＭ（Random Access Memory）１２Ｃ、及び入出力インターフェース（Ｉ／Ｏ）１２Ｄを備えており、これら各部がバスを介して各々接続されている。
【００３０】
Ｉ／Ｏ１２Ｄには、記憶部１４と、表示部１６と、操作部１８と、画像形成部２０と、原稿読取部２２と、通信部２４と、を含む各機能部が接続されている。これらの各機能部は、Ｉ／Ｏ１２Ｄを介して、ＣＰＵ１２Ａと相互に通信可能とされる。
【００３１】
制御部１２は、画像形成装置１０Ａの全体の動作を制御するメイン制御部の一部として構成されてもよい。制御部１２の各ブロックの一部又は全部には、例えば、ＬＳＩ（Large Scale Integration）等の集積回路又はＩＣ（Integrated Circuit）チップセットが用いられる。上記各ブロックに個別の回路を用いてもよいし、一部又は全部を集積した回路を用いてもよい。上記各ブロック同士が一体として設けられてもよいし、一部のブロックが別に設けられてもよい。また、上記各ブロックのそれぞれにおいて、その一部が別に設けられてもよい。制御部１２の集積化には、ＬＳＩに限らず、専用回路又は汎用プロセッサを用いてもよい。
【００３２】
記憶部１４としては、例えば、ＨＤＤ（Hard Disk Drive）、ＳＳＤ（Solid State Drive）、フラッシュメモリ等が用いられる。記憶部１４には、画像処理プログラム１４Ａが記憶される。なお、この画像処理プログラム１４Ａは、ＲＯＭ１２Ｂに記憶されていてもよい。
【００３３】
画像処理プログラム１４Ａは、例えば、画像形成装置１０Ａに予めインストールされていてもよい。画像処理プログラム１４Ａは、不揮発性の記憶媒体に記憶して、又はネットワークを介して配布して、画像形成装置１０Ａに適宜インストールすることで実現してもよい。なお、不揮発性の記憶媒体の例としては、ＣＤ-ＲＯＭ、光磁気ディスク、ＨＤＤ、ＤＶＤ-ＲＯＭ、フラッシュメモリ、メモリカード等が想定される。
【００３４】
表示部１６には、例えば、液晶ディスプレイ（ＬＣＤ:Liquid Crystal Display）や有機ＥＬ（Electro Luminescence）ディスプレイ等が用いられる。表示部１６は、タッチパネルを一体的に有している。操作部１８には、テンキーやスタートキー等の各種の操作キーが設けられている。表示部１６及び操作部１８は、画像形成装置１０Ａのユーザから各種の指示を受け付ける。この各種の指示には、例えば、原稿の読み取りを開始させる指示や、原稿のコピーを開始させる指示等が含まれる。表示部１６は、ユーザから受け付けた指示に応じて実行された処理の結果や、処理に対する通知等の各種の情報を表示する。
【００３５】
原稿読取部２２は、画像形成装置１０Ａの上部に設けられた図示しない自動原稿送り装置の給紙台に置かれた原稿を１枚ずつ取り込み、取り込んだ原稿を光学的に読み取って画像情報を得る。あるいは、原稿読取部２２は、プラテンガラス等の原稿台に置かれた原稿を光学的に読み取って画像情報を得る。
【００３６】
画像形成部２０は、原稿読取部２２による読み取りによって得られた画像情報、又は、ネットワークを介して接続された外部のＰＣ等から得られた画像情報に基づく画像を、紙等の記録媒体に形成する。なお、本実施形態においては、画像を形成する方式として、電子写真方式を例示して説明するが、インクジェット方式等の他の方式を採用してもよい。なお、画像形成部２０は、形成部の一例である。
【００３７】
画像を形成する方式が電子写真方式の場合、画像形成部２０は、感光体ドラム、帯電部、露光部、現像部、転写部、及び定着部を含む。帯電部は、感光体ドラムに電圧を印加して感光体ドラムの表面を帯電させる。露光部は、帯電部で帯電された感光体ドラムを画像情報に応じた光で露光することにより感光体ドラムに静電潜像を形成する。現像部は、感光体ドラムに形成された静電潜像をトナーにより現像することで感光体ドラムにトナー像を形成する。転写部は、感光体ドラムに形成されたトナー像を記録媒体に転写する。定着部は、記録媒体に転写されたトナー像を加熱及び加圧により定着させる。
【００３８】
通信部２４は、ＬＡＮ（Local Area Network）、ＷＡＮ（Wide Area Network）等のネットワークに接続されており、図示しない外部のＰＣ等との間でネットワークを介して通信が可能とされる。なお、通信部２４とネットワークとは有線で接続されていてもよく、無線で接続されていてもよい。
【００３９】
本実施形態に係る画像形成装置１０ＡのＣＰＵ１２Ａは、記憶部１４に記憶されている画像処理プログラム１４ＡをＲＡＭ１２Ｃに書き込んで実行することにより、図２に示す各部として機能する。
【００４０】
図２は、第１の実施形態に係る画像形成装置１０Ａの機能的な構成の一例を示すブロック図である。
図２に示すように、本実施形態に係る画像形成装置１０ＡのＣＰＵ１２Ａは、ラスタライズ部３０、検出部３２、調整部３４、及び合成部３６として機能する。なお、ラスタライズ部３０は、割当部の一例である。
【００４１】
本実施形態において、ラスタライズ部３０は、入力されたベクタ画像をラスタライズしてラスタ画像を生成する。ベクタ画像とは、画像を円や直線等の幾何的な図形の集まりとして表現するベクタ形式の画像である。一方、ラスタ画像（所謂ビットマップ画像ともいう。）とは、画像を各点の濃淡の集まりとして表現するラスタ形式の画像である。ラスタ画像の各画素は、例えば、Ｃ（シアン）、Ｍ（マゼンタ）、Ｙ（イエロー）、及びＫ（ブラック）の各色の画素値（階調値）を有している。
【００４２】
また、ラスタライズ部３０は、ラスタ画像に含まれる各画素に、線又は文字の一部であることを示す線文字タグ、及び、非線又は非文字であることを示す非線文字タグのいずれか一方を割り当てる。
【００４３】
検出部３２は、ラスタ画像における注目画素を含む予め定められた領域毎に、ラスタライズ部３０により線文字タグが割り当てられた画素と、非線文字タグが割り当てられた画素との境界を検出する。
【００４４】
調整部３４は、検出部３２により上記領域に境界が検出され、かつ、注目画素が非線文字タグが割り当てられた画素である場合に、注目画素に対応する画素値を、注目画素の近傍に位置し、かつ、線文字タグが割り当てられた近傍画素の画素値に基づいて調整する。
【００４５】
合成部３６は、ラスタライズ部３０によりラスタライズされたラスタ画像と、調整部３４により画素値が調整された注目画素を有する修正画像とを合成して合成画像を出力する。なお、この修正画像については後述する。
【００４６】
次に、図３〜図７を参照して、本実施形態に係る画像形成装置１０Ａが備えるラスタライズ部３０、検出部３２、調整部３４、及び合成部３６の各部について具体的に説明する。
【００４７】
まず、本実施形態に係る画像形成装置１０Ａによるラスタライズ処理について説明する。
【００４８】
図３は、第１の実施形態に係る画像形成装置１０Ａによるラスタライズ処理の一例を説明するための模式図である。
【００４９】
本実施形態に係るラスタライズ部３０は、図３に示すように、ベクタ画像と共に、ベクタ画像のオブジェクト情報の入力を受け付ける。ベクタ画像のオブジェクト情報とは、例えば、グラフィックでは点の座標や、線の角度等の図形要素に関する情報とされ、テキストでは文字コードや、フォントの種類、大きさ等の文字要素に関する情報とされる。ラスタライズ部３０は、オブジェクト情報を用いて、ベクタ画像をラスタライズしてラスタ画像を生成する。
【００５０】
また、ラスタライズ部３０は、上記のオブジェクト情報に基づいて、ラスタ画像の各画素に対して、線文字タグ及び非線文字タグのいずれか一方を割り当てる。本実施形態に係るラスタライズ部３０は、割り当てた結果として、ラスタ画像の各画素に対応付けて、線文字タグ又は非線文字タグを区別するための１ビットの情報を記憶部１４に記憶する。例えば、当該情報が「０」であれば、線文字タグが割り当てられていることを示し、当該情報が「１」であれば、非線文字タグが割り当てられていることを示す。本実施形態では、図３に示すように、線文字タグが割り当てられた画素を線文字画素Ｔｇ１とし、非線文字タグが割り当てられた画素を非線文字画素Ｔｇ２として区別するものとする。
【００５１】
次に、本実施形態に係る画像形成装置１０Ａによる境界検出処理について説明する。
【００５２】
図４は、本実施形態に係るラスタ画像の境界検出処理における処理順の一例を示す模式図である。
図４の矢印で示すように、本実施形態に係る境界検出処理では、ラスタ画像の左上角点を始点、右下角点を終点とし、注目画素をラスタ画像の左端から右端に向け、かつ、上端から下端に向けて、１画素分ずつ移動させながら、境界の検出が行われる。
【００５３】
図５は、第１の実施形態に係る画像形成装置１０Ａによる境界検出処理の一例を説明するための模式図である。
【００５４】
本実施形態に係る検出部３２は、一例として、図５に示すように、注目画素Ａｐ１を含む領域４０毎に、線文字画素Ｔｇ１と非線文字画素Ｔｇ２との境界を検出する。領域４０としては、一例として、３×３の領域を示しているが、５×５、７×７等の領域でもよい。なお、領域４０における画素の配置としては、縦方向の画素数と横方向の画素数とが同一となる配置に限らず、縦方向の画素数と横方向の画素数とが異なる配置でもよい。
【００５５】
ここで、検出部３２は、領域４０に対応する境界検出用パターンを用いて、ラスタ画像に対してパターンマッチングを行うことにより、線文字画素Ｔｇ１と非線文字画素Ｔｇ２との境界を検出する。
【００５６】
図６は、本実施形態に係る境界検出用パターンの一例を示す模式図である。
図６に示すように、本実施形態に係る境界検出用パターンの各々は、上記の領域４０に対応するパターンマッチング用の画像であり、本実施形態では、領域４０と同一の３×３の画像が適用される。
【００５７】
本実施形態に係る境界検出用パターンでは、注目画素Ａｐ１、線文字画素Ｔｇ１、非線文字画素Ｔｇ２、及び近傍画素Ｎｐ１の位置関係が予め規定されている。画素Ｄｃ１は、画素値が任意（Don't Care）であることを示す画素である。なお、本実施形態では、境界検出用パターンの中央に位置する画素を注目画素Ａｐ１とする。注目画素Ａｐ１は、非線文字画素Ｔｇ２である。近傍画素Ｎｐ１は、注目画素Ａｐ１の近傍に位置する線文字画素Ｔｇ１である。近傍画素Ｎｐ１は、注目画素Ａｐ１を基準として予め定められた距離内に位置する画素である。近傍画素Ｎｐ１には、例えば、注目画素Ａｐ１から３画素以内に位置する画素が適用される。近傍画素Ｎｐ１の画素値は、後述するように、注目画素Ａｐ１に対応する画素値の調整に使用される。
【００５８】
本実施形態において、記憶部１４には、複数種類の境界検出用パターンが予め格納されている。本実施形態に係る注目画素Ａｐ１の近傍画素Ｎｐ１は、注目画素Ａｐ１の右隣、左隣、上隣、及び下隣のいずれかに位置する画素である。すなわち、境界検出用パターンは、図６に示すように、近傍画素Ｎｐ１が注目画素Ａｐ１の右隣、左隣、上隣、及び下隣のいずれかに位置する場合について、複数種類ずつ設けられている。なお、本実施形態は、境界検出用パターンを、近傍画素Ｎｐ１が注目画素Ａｐ１の右隣、左隣、上隣、及び下隣の各々に位置する場合について１種類ずつ設ける場合についても同様に適用される。
【００５９】
本実施形態に係る検出部３２は、上記の各隣接方向毎に複数種類ずつの境界検出用パターンを選択的に用いて、ラスタ画像に対してパターンマッチングを行う。例えば、近傍画素Ｎｐ１の位置が注目画素Ａｐ１の右隣、左隣、上隣、及び下隣に位置する全てのパターンを用いてもよいし、近傍画素Ｎｐ１が注目画素Ａｐ１の右隣及び下隣に位置するパターンのみを用いてもよい。このような境界検出用パターンの使い分けにより、後述する画素値調整処理において線及び文字が異なる太さに調整される。例えば、右隣、左隣、上隣、及び下隣の全てのパターンを用いた場合、線及び文字の太さが２画素相当分太く調整される。一方、右隣及び下隣のパターンのみを用いた場合、線及び文字の太さが１画素相当分太く調整される。なお、線及び文字の太さをどの程度調整するかは、ユーザが設定可能とすることが望ましい。例えば、ユーザが太さ調整量のレベルを設定するための調整量設定画面（図示省略）を表示可能とする。この調整量設定画面において、例えば、レベル大が設定された場合には、２画素相当分太く調整されるようにパターンが選択され、レベル小が設定された場合には、１画素相当分太く調整されるようにパターンが選択される。
【００６０】
検出部３２は、図５に示す領域４０内の画素の配置パターンが、図６に示す境界検出用パターンのいずれかに合致した場合、線文字画素Ｔｇ１と非線文字画素Ｔｇ２との境界が存在すると判定する。ここで、領域４０内の画素の配置パターンと境界検出用パターンとが合致する場合とは、線文字画素Ｔｇ１と非線文字画素Ｔｇ２との境界が検出され、かつ、注目画素Ａｐ１が非線文字画素Ｔｇ２である場合である。一方、領域４０内の画素の配置パターンが、図６に示す境界検出用パターンのいずれにも合致しない場合、線文字画素Ｔｇ１と非線文字画素Ｔｇ２との境界は存在しないと判定する。
【００６１】
次に、本実施形態に係る画像形成装置１０Ａによる画素値調整処理について説明する。
【００６２】
本実施形態に係る調整部３４は、検出部３２によるパターンマッチングにより、図６に示す境界検出用パターンのいずれかが合致した場合、注目画素Ａｐ１に対応する画素値を、近傍画素Ｎｐ１の画素値に基づいて調整する。ここで行う調整として、注目画素Ａｐ１に対応する画素値を、近傍画素Ｎｐ１の画素値で置き換えてもよいし、近傍画素Ｎｐ１の画素値に近い値に調整してもよい。なお、近傍画素Ｎｐ１の画素値に近い値としては、当該画素値を基準として予め定められた範囲内の画素値が適用される。例えば、近傍画素Ｎｐ１の画素値の８０％以上１００％未満の範囲の画素値が適用される。
【００６３】
このように、非線文字画素である注目画素Ａｐ１の画素値は、線文字画素である近傍画素Ｎｐ１の画素値に置き換えられる。あるいは、注目画素Ａｐ１の画素値は、近傍画素Ｎｐ１の画素値に近い値に調整される。このため、画素値調整処理後の画像では、画素値調整処理前と比べて、線又は文字が太く視認される。
【００６４】
なお、調整部３４は、画素値が調整された注目画素Ａｐ１について、画素値調整処理前に注目画素Ａｐ１に割り当てられた非線文字タグを線文字タグに更新する。
【００６５】
ここで、本実施形態に係る調整部３４は、上記の画素値調整処理を、ラスタ画像とは異なる修正画像を用いて行う。なお、修正画像とは、近傍画素Ｎｐ１の画素値に基づいて画素値が調整された注目画素Ａｐ１だけを配置した画像であり、例えば、後述の図７に示される。
【００６６】
次に、本実施形態に係る画像形成装置１０Ａによる画像合成処理について説明する。
【００６７】
図７は、第１の実施形態に係る画像形成装置１０Ａによる画像合成処理の一例を説明するための模式図である。
【００６８】
本実施形態に係る合成部３６は、図７に示すように、ラスタライズ部３０によりラスタライズされたラスタ画像と、調整部３４により画素値が調整された注目画素Ａｐ１のみを有する修正画像とを合成した合成画像を画像形成部２０に出力する。
【００６９】
ここで、ラスタ画像と修正画像とを分ける理由について説明する。
上述したように、境界検出用パターンを用いたパターンマッチングは、ラスタ画像に対して実施される。このため、ラスタ画像において注目画素Ａｐ１の画素値を直接調整して線又は文字を太らせてしまうと、線又は文字を太らせた後のラスタ画像に対して更にパターンマッチングが実施され、線又は文字を延々と太らせてしまうという事態が発生する場合がある。
【００７０】
そこで、本実施形態では、ラスタ画像と修正画像とを分けて処理することで、ラスタ画像自体はオリジナルの状態を維持するようにしている。これにより、上記のように線又は文字を延々と太らせる事態の発生が抑制される。
【００７１】
本実施形態に係る画像形成部２０は、合成部３６により出力された、図７に示す合成画像を、紙等の記録媒体に形成する。
【００７２】
次に、図８を参照して、第１の実施形態に係る画像形成装置１０Ａの作用を説明する。なお、図８は、第１の実施形態に係る画像処理プログラム１４Ａの処理の流れの一例を示すフローチャートである。
【００７３】
まず、画像形成装置１０Ａの画像処理に関するメニュー画面（図示省略）において、ユーザの操作により、例えば、「線文字太さ調整」の項目が選択され、実行が指示されると、画像処理プログラム１４Ａが起動され、以下の各ステップを実行する。
【００７４】
図８のステップ１００では、ラスタライズ部３０が、上述の図３を参照して説明したように、ベクタ画像及びオブジェクト情報の入力を受け付ける。
【００７５】
ステップ１０２では、ラスタライズ部３０が、上述の図３を参照して説明したように、オブジェクト情報を用いて、ベクタ画像をラスタライズしてラスタ画像を生成する。
【００７６】
ステップ１０４では、ラスタライズ部３０が、上述の図３を参照して説明したように、オブジェクト情報に基づいて、ラスタ画像の各画素に対して、線文字タグ及び非線文字タグのいずれか一方を割り当てる。
【００７７】
ステップ１０６では、検出部３２が、ラスタ画像のＭ画素目（Ｍ＝１以上ｍ以下：ｍはラスタ画像の全画素数）を注目画素Ａｐ１として含む領域４０（図５も参照）に対して、図６に示す境界検出用パターンを選択的に用いてパターンマッチングを行う。なお、Ｍの初期値は「１」に設定されているものとする。
【００７８】
ステップ１０８では、検出部３２が、ステップ１０６でのパターンマッチングの結果、注目画素Ａｐ１を含む領域４０の画素の配置パターンが、複数種類の境界検出用パターンのいずれかと合致したか否かを判定する。合致したと判定した場合（肯定判定の場合）、ステップ１１０に移行し、合致しないと判定した場合（否定判定の場合）、ステップ１１４に移行する。
【００７９】
ステップ１１０では、調整部３４が、ステップ１０８の処理により合致した境界検出用パターンに基づいて、ラスタ画像において、注目画素Ａｐ１に対応する近傍画素Ｎｐ１の位置を特定する。つまり、近傍画素Ｎｐ１が、注目画素Ａｐ１の左隣、右隣、上隣、及び下隣のいずれに位置しているかを特定する。
【００８０】
ステップ１１２では、調整部３４が、ステップ１１０の処理により特定した位置の近傍画素Ｎｐ１の画素値に基づいて、注目画素Ａｐ１に対応する画素値を調整する。なお、このとき、調整部３４は、注目画素Ａｐ１に割り当てられている非線文字タグを線文字タグに更新する。
【００８１】
ステップ１１４では、調整部３４が、ラスタ画像に含まれる全ての画素について処理が終了したか否かを判定する。全ての画素について処理が終了したと判定した場合（肯定判定の場合）、ステップ１１６に移行する。一方、全ての画素について処理が終了していないと判定した場合（否定判定の場合）、ステップ１０６に戻り、ラスタ画像のＭ画素目（Ｍを１つだけインクリメント）を注目画素Ａｐ１として処理を繰り返す。
【００８２】
ステップ１１６では、合成部３６が、図７を参照して説明したように、ラスタライズ部３０によりラスタライズされたラスタ画像と、調整部３４により画素値が調整された注目画素Ａｐ１を有する修正画像とを合成して合成画像を生成する。そして、合成部３６は、生成した合成画像を画像形成部２０に出力し、上記画像処理プログラム１４Ａによる一連の処理を終了する。
【００８３】
［第２の実施形態］
上記第１の実施形態では、線文字タグ及び非線文字タグの２種類のタグを用いて、線と文字とを区別せずに画素値調整処理を行った。これに対して、本実施形態では、線タグ、文字タグ、非線タグ、及び非文字タグの４種類のタグを用いて、線と文字とを区別して画素値調整処理を行う。
【００８４】
図９は、第２の実施形態に係る画像形成装置１０Ｂの機能的な構成の一例を示すブロック図である。
図９に示すように、本実施形態に係る画像形成装置１０Ｂは、ラスタライズ部５０、検出部５２、調整部５４、及び合成部３６を備える。なお、同じ機能を有する構成要素には同じ符号を付し、繰り返しの説明は省略する。
【００８５】
図１０は、第２の実施形態に係る画像形成装置１０Ｂによるラスタライズ処理の一例を説明するための模式図である。
【００８６】
本実施形態に係るラスタライズ部５０は、図１０に示すように、線及び文字を含むベクタ画像と共に、ベクタ画像のオブジェクト情報の入力を受け付ける。ラスタライズ部５０は、第１の実施形態と同様に、オブジェクト情報に基づいて、ベクタ画像をラスタライズしてラスタ画像を生成する。
【００８７】
本実施形態において、線文字タグは、線タグ及び文字タグを含み、非線文字タグは、非線タグ及び非文字タグを含む。ラスタライズ部５０は、上記のオブジェクト情報に基づいて、ラスタ画像の各画素に対して、線タグ、文字タグ、非線タグ、及び非文字タグのいずれか１つを割り当てる。線タグは、画素が線の一部であることを示すタグである。文字タグは、画素が文字の一部であることを示すタグである。非線タグは、画素が非線であることを示すタグである。非文字タグは、画素が非文字であることを示すタグである。
【００８８】
本実施形態では、図１０に示すように、線タグが割り当てられた画素を線画素Ｔｇ３とし、非線タグが割り当てられた画素を非線画素Ｔｇ５として区別する。同様に、文字タグが割り当てられた画素を文字画素Ｔｇ４とし、非文字タグが割り当てられた画素を非文字画素Ｔｇ６として区別する。但し、非線画素Ｔｇ５と非文字画素Ｔｇ６とは同一の画素である。本実施形態に係るラスタライズ部５０は、割り当てた結果として、ラスタ画像の各画素に対応付けて、線タグ、文字タグ、非線タグ、及び非文字タグを区別するための２ビットの情報を記憶部１４に記憶する。例えば、当該情報が「００」であれば、線タグが割り当てられていることを示し、当該情報が「０１」であれば、文字タグが割り当てられていることを示す。同様に、当該情報が「１０」であれば、非線タグが割り当てられていることを示し、当該情報が「１１」であれば、非文字タグが割り当てられていることを示す。
【００８９】
本実施形態に係る検出部５２は、上述の図５を参照して説明したように、注目画素Ａｐ１を含む領域４０毎に、線画素Ｔｇ３と非線画素Ｔｇ５との境界を検出する。但し、図５に示す線文字画素Ｔｇ１を線画素Ｔｇ３と読み替え、非線文字画素Ｔｇ２を非線画素Ｔｇ５と読み替える。同様に、検出部５２は、注目画素Ａｐ１を含む領域４０毎に、文字画素Ｔｇ４と非文字画素Ｔｇ６との境界を検出する。但し、図５に示す線文字画素Ｔｇ１を文字画素Ｔｇ４と読み替え、非線文字画素Ｔｇ２を非文字画素Ｔｇ６と読み替える。
【００９０】
本実施形態に係る境界検出処理には、線検出の場合及び文字検出の場合の各々に対して、第１の実施形態と同様に、図６に示す境界検出用パターンを選択的に用いたバターンマッチングが適用される。
【００９１】
例えば、線検出の場合には、右隣、左隣、上隣、及び下隣の全ての境界検出用パターンを適用し、文字検出の場合には、右隣及び下隣の境界検出用パターンのみを適用する。このような境界検出用パターンの使い分けにより、後述の画素値調整処理において線と文字とが異なる太さに調整される。例えば、右隣、左隣、上隣、及び下隣の全てのパターンを用いた場合、線の太さが２画素相当分太く調整される。一方、右隣及び下隣のパターンのみを用いた場合、文字の太さが１画素相当分太く調整される。
【００９２】
本実施形態に係る調整部５４は、線検出の場合のパターンマッチングにより、図６に示す境界検出用パターンのいずれかが合致した場合、注目画素Ａｐ１に対応する画素値を、近傍画素Ｎｐ１の画素値に基づいて調整する。この場合、注目画素Ａｐ１は、非線画素Ｔｇ５であり、近傍画素Ｎｐ１は、線画素Ｔｇ３である。同様に、調整部５４は、文字検出の場合のパターンマッチングにより、図６に示す境界検出用パターンのいずれかが合致した場合、注目画素Ａｐ１に対応する画素値を、近傍画素Ｎｐ１の画素値に基づいて調整する。この場合、注目画素Ａｐ１は、非文字画素Ｔｇ６であり、近傍画素Ｎｐ１は、文字画素Ｔｇ４である。
【００９３】
［第３の実施形態］
上記第１の実施形態及び第２の実施形態では、線又は文字の太さを太くする形態について説明したが、本実施形態では、線又は文字の太さを細くする形態について説明する。
【００９４】
図１１は、第３の実施形態に係る画像形成装置１０Ｃの機能的な構成の一例を示すブロック図である。
図１１に示すように、本実施形態に係る画像形成装置１０Ｃは、ラスタライズ部３０、検出部３２、調整部６０、及び出力部６２を備える。なお、同じ機能を有する構成要素には同じ符号を付し、繰り返しの説明は省略する。
【００９５】
図１２は、第３の実施形態に係る画像形成装置１０Ｃによる画素値調整処理の一例を説明するための模式図である。
【００９６】
本実施形態に係る調整部６０は、検出部３２によるパターンマッチングにより、図６に示す境界検出用パターンのいずれかが合致した場合、図１２に示すように、近傍画素Ｎｐ１の画素値を、注目画素Ａｐ１の画素値に基づいて調整する。注目画素Ａｐ１は、非線文字画素Ｔｇ２であり、近傍画素Ｎｐ１は、注目画素Ａｐ１の近傍に位置する線文字画素Ｔｇ１である。ここで行う調整は、近傍画素Ｎｐ１の画素値を、注目画素Ａｐ１の画素値で置き換えてもよいし、注目画素Ａｐ１の画素値に近い値に調整してもよい。なお、注目画素Ａｐ１の画素値に近い値としては、当該画素値を基準として予め定められた範囲内の画素値が適用される。例えば、注目画素Ａｐ１の画素値の８０％以上１００％未満の範囲の画素値が適用される。また、近傍画素Ｎｐ１の画素値は、注目画素Ａｐ１の画素値よりも大きい値に調整してもよいが、この場合、近傍画素Ｎｐ１の元の画素値を超えない範囲で調整される。
【００９７】
なお、線又は文字の太さを細くする場合、第１の実施形態で説明したような、オリジナルのラスタ画像と、画素値が調整された注目画素Ａｐ１を有する修正画像との合成は実施されない。このため、合成部３６に代えて出力部６２を備えている。
【００９８】
本実施形態に係る調整部６０は、ラスタ画像における近傍画素Ｎｐ１に対応付けて、１ビットの調整判定情報を記憶部１４に記憶する。この調整判定情報は、近傍画素Ｎｐ１の画素値を、注目画素Ａｐ１の画素値に基づいて調整するか否かを判定するための情報である。例えば、ある近傍画素Ｎｐ１に対応付けられた調整判定情報が「０」であれば、画素値調整を行う画素とされ、調整判定情報が「１」であれば、画素値の調整を行わない画素とされる。
【００９９】
本実施形態に係る出力部６２は、記憶部１４に記憶された調整判定情報に基づいて、ラスタ画像における各近傍画素Ｎｐ１の画素値を調整した後に、調整後の画像を出力する。
【０１００】
このように、線文字画素である近傍画素Ｎｐ１の画素値は、非線文字画素である注目画素Ａｐ１の画素値に置き換えられる。あるいは、近傍画素Ｎｐ１の画素値は、注目画素Ａｐ１の画素値に近い値に調整される。このため、画素値調整後の画像では、画素値調整前と比べて、線又は文字が細く視認される。
【０１０１】
なお、本実施形態は、ラスタ画像の各画素に対して、線文字タグ及び非線文字タグのいずれか一方が割り当てられている場合に限らず、線タグ、文字タグ、非線タグ、及び非文字タグのいずれか１つが割り当てられている場合にも適用可能とされる。
【０１０２】
［第４の実施形態］
本実施形態では、線又は文字の太さを太くする場合に、画素値の調整対象とされる注目画素Ａｐ１の画素値に応じて、画素値の調整を実施するか否かを決定する形態について説明する。
【０１０３】
例えば、中間調の場合には、網点で印刷されて細く見える場合があると考えられるため、線又は文字が例えば１画素相当分太くなるように画素値の調整を行う。具体的には、注目画素Ａｐ１の画素値が中間調を示す画素値である場合に、注目画素Ａｐ１の画素値の調整を行うと判定する。なお、中間調の範囲には、一例として、最大画素値の２０％以上８０％以下の範囲が適用される。
【０１０４】
また、線又は文字が高濃度で印刷される場合には、元々適切な線幅を有していると考えられるため、画素値の調整は行わないとしてもよい。具体的には、注目画素Ａｐ１の画素値が最大値の１００％以下でかつ１００％近傍である場合に、注目画素Ａｐ１の画素値の調整を行わないと判定する。
【０１０５】
以上、実施形態として画像処理装置及び画像形成装置を例示して説明した。実施形態は、画像処理装置又は画像形成装置が備える各部の機能をコンピュータに実行させるためのプログラムの形態としてもよい。実施形態は、このプログラムを記憶したコンピュータが読み取り可能な記憶媒体の形態としてもよい。
【０１０６】
その他、上記実施形態で説明した画像処理装置又は画像形成装置の構成は、一例であり、主旨を逸脱しない範囲内において状況に応じて変更してもよい。
【０１０７】
また、上記実施形態で説明したプログラムの処理の流れも、一例であり、主旨を逸脱しない範囲内において不要なステップを削除したり、新たなステップを追加したり、処理順序を入れ替えたりしてもよい。
【０１０８】
また、上記実施形態では、プログラムを実行することにより、実施形態に係る処理がコンピュータを利用してソフトウェア構成により実現される場合について説明したが、これに限らない。実施形態は、例えば、ハードウェア構成や、ハードウェア構成とソフトウェア構成との組み合わせによって実現してもよい。
【符号の説明】
【０１０９】
１０Ａ、１０Ｂ、１０Ｃ  画像形成装置
１１   画像処理部
１２   制御部
１２Ａ ＣＰＵ
１２Ｂ ＲＯＭ
１２Ｃ ＲＡＭ
１２Ｄ Ｉ／Ｏ
１４   記憶部
１４Ａ 画像処理プログラム
１６   表示部
１８   操作部
２０   画像形成部
２２   原稿読取部
２４   通信部
３０、５０    ラスタライズ部
３２、５２    検出部
３４、５４、６０     調整部
３６   合成部
４０   領域
６２   出力部
【図１】
2019036887.tif 000003
【図２】
2019036887.tif 000004
【図３】
2019036887.tif 000005
【図４】
2019036887.tif 000006
【図５】
2019036887.tif 000007
【図６】
2019036887.tif 000008
【図７】
2019036887.tif 000009
【図８】
2019036887.tif 000010
【図９】
2019036887.tif 000011
【図１０】
2019036887.tif 000012
【図１１】
2019036887.tif 000013
【図１２】
2019036887.tif 000014